(57)【特許請求の範囲】
【請求項１】
下端部を底板により閉塞し上下方向に支持した、熱伝導性の良い材料によって形成された回転可能な伝熱筒体と、
該伝熱筒体の上端部に固定した、前記伝熱筒体の外方の液体の液面より上方に設けられている回転環状体と、
該回転環状体を回転駆動する回転駆動手段と、
前記伝熱筒体の中心部で静止状態で下方に向って支持された、下端部を小底板により閉塞すると共に、周壁の下方部に透孔を形成した、液体を上方から流入する流入管と、
前記回転環状体の中心孔に摺接すると共に、前記伝熱筒体内に連通する、液体を上方に流出する流出管と、
該流入管の外周面に固定した、前記伝熱筒体の内周面に近接あるいは摺接して境膜を剥ぎ取る内部固定羽根と、
前記伝熱筒体の外周面に近接あるいは摺接して境膜を剥ぎ取る外部固定羽根とを備えたことを特徴とする熱交換装置。
【請求項２】
その中心孔において、前記回転環状体を回転可能に支持する支持環状体が前記液面の上方に設けられ、前記外部固定羽根は、上端部を前記支持環状体に固定した支柱に固定されている請求項１に記載の熱交換装置。
【発明の詳細な説明】
【技術分野】
【０００１】
本発明は温水等の液体の熱交換装置に関する。
【背景技術】
【０００２】
従来この種の熱交換装置として、熱伝導性の良い材料によって形成された円筒状の伝熱体と、前記伝熱体を回転駆動する回転駆動手段と、前記伝熱体の内部に配置された前記伝熱体の内周面に近接あるいは摺接して境膜を剥ぎ取る内部固定羽根と、前記伝熱体の外周面に近接あるいは摺接して境膜を剥ぎ取る外部固定羽根とを備え、前記円筒状の伝熱体をジャケット内に回動するように設け、該ジャケット内を流す液体と前記伝熱体の内を流す液体との間で熱交換する装置が知られている（特許文献１参照）。
【先行技術文献】
【特許文献】
【０００３】
【特許文献１】特開２００５−９８０４号公報
【発明の概要】
【発明が解決しようとする課題】
【０００４】
この従来の熱交換装置によれば円筒状の伝熱体がジャケット内の液中において回動しながら該ジャケット内の液体と該伝熱体内を通過する温度差のある液体と熱交換するようにしたので、摺動部の僅かな摩擦部分より両液体が交じり合うおそれがあったり、又摺動部が多く存在するため液漏れ防止のシールをきつくすると、摩擦動力が急激に増大し、運転が困難になる問題点があった。
【０００５】
本発明はこれらの問題点を解消し、温冷の両液体が混じることなく円滑な運転が可能となる熱交換装置を提供することを目的とする。
【課題を解決するための手段】
【０００６】
この目的を達成すべく本発明は、下端部を底板により閉塞し上下方向に支持した、熱伝導性の良い材料によって形成された回転可能な伝熱筒体と、該伝熱筒体の上端部に固定した、前記伝熱筒体の外方の液体の液面より上方に設けられている回転環状体と、該回転環状体を回転駆動する回転駆動手段と、前記伝熱筒体の中心部で静止状態で下方に向って支持された、下端部を小底板により閉塞すると共に、周壁の下方部に透孔を形成した、液体を上方から流入する流入管と、前記回転環状体の中心孔に摺接すると共に、前記伝熱筒体内に連通する、液体を上方に流出する流出管と、該流入管の外周面に固定した、前記伝熱筒体の内周面に近接あるいは摺接して境膜を剥ぎ取る内部固定羽根と、前記伝熱筒体の外周面に近接あるいは摺接して境膜を剥ぎ取る外部固定羽根とを備えたことを特徴とする。
【発明の効果】
【０００７】
本発明によれば、温冷の両液体の混合のおそれがなく、円滑な運転ができて効率的な熱交換が可能となる効果を有する。
【図面の簡単な説明】
【０００８】
【図１】本発明の実施例１の熱交換装置の縦断面図である。
【発明を実施するための形態】
【０００９】
本発明を実施するための形態の実施例を以下に示す。
【実施例１】
【００１０】
図１は本発明の実施例１の熱交換装置の縦断面図である。
【００１１】
１は熱交換装置、２は熱伝導性の良い金属製からなる上下方向に延びる伝熱筒体を示し、該伝熱筒体２は、その下端に底板２ａを密閉状態で固定し、該底板２ａの下面とベース体３の上面との間の球体４を介して回転可能に支持されている。
【００１２】
５は流入手段である流入管を示し、該流入管５は前記伝熱筒体２の中心部に静止状態で設けられ、該流入管５の下端に小底板５ａを固定密閉すると共に該流入管５の周壁の下端部に透孔６を形成し、該流入管５内を下方へ流動する液体は該透孔６より前記伝熱筒体２内に流出するようにした。
【００１３】
又、前記流入管５の周壁の外表面に複数の境膜剥ぎ取りの内部固定羽根７を付設し、該内部固定羽根７の外縁が前記伝熱筒体２の内面に近接あるいは摺接するようにした。
【００１４】
８は前記伝熱筒体２の外方位置で前記ベース体３に形成の孔に挿通して固定した複数の支柱を示し、これら各支柱８に境膜剥ぎ取りの外部固定羽根９を付設し、該外部固定羽根９の内縁を前記伝熱筒体２の外面に近接あるいは摺接するようにした。
【００１５】
１０は支持環状体を示し、該支持環状体１０は前記支柱８の上端部に固定されていると共に該支持環状体１０の中心孔に回転環状体１１を回動自在に嵌挿支持している。
【００１６】
そして該回転環状体１１に前記伝熱筒体２の上端部を固着すると共に、該回転環状体１１の周面にプーリ１２が形成され、モータ１３の回転軸１３ａに固定の駆動プーリ１４と前記プーリ１２との間をベルト１５により連結し、これらモータ１３と駆動プーリ１４とプーリ１２と回転環状体１１により回転駆動手段２１を構成する。
【００１７】
１６は流出手段である流出管を示し、該流出管１６は、静止状態で設けられ前記回転環状体１１の中心孔に摺接していると共に前記伝熱筒体２内と連通している。
【００１８】
１７ａ、１７ｂは軸受、１８はシール、１９は前記小底板５ａと前記底板２ａとの間に介在されている球体、２０は前記熱交換装置１が内部に設置されている液槽を示し、該液槽２０の底部に接して又は離して上方に前記ベース体３が設置されている。
【００１９】
次に、本実施例の熱交換装置１の作用と効果を説明する。
【００２０】
液槽２０内に例えば温水を満たした状態で、モータ１３を回転駆動し、駆動プーリ１４、ベルト１５、プーリ１２及び回転環状体１１を介して伝熱筒体２を回転すると共に、流入管５内に例えば冷水を流入して下端部の透孔６より伝熱筒体２内に流出する。
【００２１】
そして、伝熱筒体２内の冷水と、該伝熱筒体２外の温水とが該伝熱筒体２を介して熱交換され、冷水は流出管１６より温水となって流出する。
【００２２】
ここで内部固定羽根７の外縁が伝熱筒体２の内面に近接あるいは摺接すると共に外部固定羽根９の内縁が該伝熱筒体２の外面に近接あるいは摺接するので、該伝熱筒体２の内面及び外面において液体の境膜が剥ぎ取られ熱交換の効率が良くなる。
【００２３】
又、伝熱筒体２の上端部を固着する回転環状体１１が液槽２０内の液面より上方に位置すると共に、伝熱筒体２の下端を底板２ａにより密閉状態で固定し、流入管５への液体即ち冷水の流入と流出管１６からの液体即ち温水の流出が前記液面より上方で行うようにしたので、液槽内の水が冷水又は温水となった流入水に混じることがなく、回転環状体１１及び伝熱筒体２の回転支持部が少なくなり回転が容易になる。
【産業上の利用可能性】
【００２４】
本発明の熱交換装置は、化学工場及び機械工場等の排温水からの熱回収、温泉水による給温水加熱、温泉水の冷却加熱等に利用される。
【符号の説明】
【００２５】
１  熱交換装置
２  伝熱筒体
２ａ  底板
５    流入手段
６    透孔
７    内部固定羽根
９    外部固定羽根
１１  回転環状体
１６  流出手段
２１  回転駆動手段
【図１】
0005471262.tif 000002